(57)【要約】  本発明の例示的な実施形態が、ユーザ機器がアイドル状態または非アクティブ状態にある間、通信ノードの少なくとも１つの測定されるセルに対する通信品質を、ユーザ機器により測定し；ユーザ機器が接続された状態に遷移すると、少なくとも１つの測定されるセルに対する通信品質が閾値より大きいとユーザ機器により判定し；ユーザ機器からのさらなる測定なしに、少なくとも１つの測定されるセルとの通信を構成するようユーザ機器にシグナリングすべく、少なくとも１つの測定されるセルがネットワーク機器に関する閾値を満足させるという測定レポートを備える情報を、ユーザ機器からネットワーク機器に伝送するための、少なくとも方法および装置を提供する。さらに、アイドル状態または非アクティブ状態から目を覚まし、サービングセル通信にアクセスしようと努めているユーザ機器からの測定レポートを備える情報を、ネットワーク機器により受信し、測定レポートが、ユーザ機器がアイドル状態または非アクティブ状態にある間、ユーザ機器に対して通信品質閾値を満足させたセルの識別を備えており；ユーザ機器からネットワーク機器によって受信された測定レポートを所定の閾値と比較し、比較することに基づいて、ネットワーク機器が、ユーザ機器からのさらなる測定なしに、セルとの通信を構成させられ、比較することに基づいて、ネットワーク機器が、ユーザ機器からのさらなる測定なしに、セルとの通信を構成させられ；ユーザ機器からのさらなる測定なしに、ユーザ機器がセルとの通信を構成するようにする命令を有するシグナリングを、ネットワーク機器からユーザ機器に送信するための、方法および装置。
2021503800.tif 000002
【特許請求の範囲】
【請求項１】
ユーザ機器がアイドル状態または非アクティブ状態にある間、通信ノードの少なくとも１つの測定されるセルに対する通信品質を、ユーザ機器により測定することと、
ユーザ機器が接続された状態に遷移すると、少なくとも１つの測定されるセルに対する通信品質が閾値より大きいとユーザ機器により判定することと、
ユーザ機器からのさらなる測定なしに、少なくとも１つの測定されるセルとの通信を構成するようユーザ機器にシグナリングすべく、少なくとも１つの測定されるセルがネットワーク機器に関する閾値を満足させるという測定レポートを備える情報をユーザ機器からネットワーク機器に伝送することと
を備える、方法。
【請求項２】
測定レポートが、少なくとも１つの測定されるセルが閾値を満足させていた持続時間を備える、請求項１に記載の方法。
【請求項３】
少なくとも１つの測定されるセルが、セカンダリセルを備え、通信品質が、測定信頼性条件に基づく、請求項２に記載の方法。
【請求項４】
情報が、少なくとも１つの測定されるセルのうちの、最良の測定信頼性条件を有するセルの測定レポートに基づく、請求項３に記載の方法。
【請求項５】
測定信頼性条件が、ユーザ機器に関してネットワークによって事前構成された品質条件に基づいて判定される、請求項４に記載の方法。
【請求項６】
品質条件が、専用のシグナリングまたはブロードキャストシグナリングのうちの１つを介してネットワークによってユーザ機器に関して事前構成される、請求項５に記載の方法。
【請求項７】
持続時間が、セルの最後の測定以来の持続時間を備える測定レポートの信頼性条件と関係する、請求項４に記載の方法。
【請求項８】
持続時間が、セルが、構成された品質条件を満たしていなかった最後の測定以来である、請求項７に記載の方法。
【請求項９】
ユーザ機器が接続された状態に遷移すると、方法が、少なくとも１つの測定されるセルに対する通信品質が閾値を満足させていた持続時間を記録するタイマを、ユーザ機器により開始することを備える、請求項１に記載の方法。
【請求項１０】
タイマが、ユーザ機器に関してネットワークによって構成される、請求項９に記載の方法。
【請求項１１】
タイマが、ユーザ機器がアイドル状態を離れること、または非アクティブ状態を離れることのうちの１つに基づいて、およびユーザ機器が時間の長さの間に測定を獲得しないことに基づいて止められる、請求項９に記載の方法。
【請求項１２】
少なくとも１つのプロセッサと、
コンピュータプログラムコードを含む少なくとも１つのメモリとを備える、装置であって、
少なくとも１つのメモリ、およびコンピュータプログラムコードが、少なくとも１つのプロセッサとともに、装置に、少なくとも、
ユーザ機器がアイドル状態または非アクティブ状態にある間、通信ノードの少なくとも１つの測定されるセルに対する通信品質を、ユーザ機器により測定させ、
ユーザ機器が接続された状態に遷移すると、少なくとも１つの測定されるセルに対する通信品質が閾値より大きいとユーザ機器により判定させ、
ユーザ機器からのさらなる測定なしに、少なくとも１つの測定されるセルとの通信を構成するようユーザ機器にシグナリングすべく、少なくとも１つの測定されるセルがネットワーク機器に関する閾値を満足させるという測定レポートを備える情報をユーザ機器からネットワーク機器に伝送させる
ように構成される、装置。
【請求項１３】
測定レポートが、少なくとも１つの測定されるセルが閾値を満足させていた持続時間を備える、請求項１２に記載の装置。
【請求項１４】
少なくとも１つの測定されるセルが、セカンダリセルを備え、通信品質が、測定信頼性条件に基づく、請求項１３に記載の装置。
【請求項１５】
情報が、少なくとも１つの測定されるセルのうちの、最良の測定信頼性条件を有するセルの測定レポートに基づく、請求項１４に記載の装置。
【請求項１６】
測定信頼性条件が、ユーザ機器に関してネットワークによって事前構成された品質条件に基づいて判定される、請求項１５に記載の装置。
【請求項１７】
品質条件が、専用のシグナリングまたはブロードキャストシグナリングのうちの１つを介してネットワークによってユーザ機器に関して事前構成される、請求項１６に記載の装置。
【請求項１８】
持続時間が、セルの最後の測定以来の持続時間を備える測定レポートの信頼性条件と関係する、請求項１５に記載の装置。
【請求項１９】
持続時間が、セルが、構成された品質条件を満たしていなかった最後の測定以来である、請求項１８に記載の装置。
【請求項２０】
ユーザ機器が接続された状態に遷移すると、コンピュータプログラムコードを含む少なくとも１つのメモリが、少なくとも１つのプロセッサとともに、装置に、
少なくとも１つの測定されるセルに対する通信品質が閾値を満足させていた持続時間を記録するタイマを、ユーザ機器により開始させる
ように構成される、請求項１２に記載の装置。
【請求項２１】
タイマが、ユーザ機器に関してネットワークによって構成される、請求項２０に記載の装置。
【請求項２２】
タイマが、ユーザ機器がアイドル状態を離れること、または非アクティブ状態を離れることのうちの１つに基づいて、およびユーザ機器が時間の長さの間に測定を獲得しないことに基づいて止められる、請求項２０に記載の装置。
【請求項２３】
アイドル状態または非アクティブ状態から目を覚まし、サービングセル通信にアクセスしようと努めているユーザ機器からの測定レポートを備える情報を、ネットワーク機器により受信することであって、測定レポートが、ユーザ機器がアイドル状態または非アクティブ状態にある間、ユーザ機器に対して通信品質閾値を満足させたセルの識別を備える、ことと、
ユーザ機器からネットワーク機器によって受信された測定レポートを所定の閾値と比較することであって、比較することに基づいて、ネットワーク機器が、ユーザ機器からのさらなる測定なしに、セルとの通信を構成させられる、ことと、
ユーザ機器からのさらなる測定なしに、ユーザ機器がセルとの通信を構成するようにする命令を有する信号を、ネットワーク機器からユーザ機器に送信することと
を備える、方法。
【請求項２４】
セルが、セカンダリセルを備え、通信品質閾値が、測定信頼性条件に基づく、請求項２３に記載の方法。
【請求項２５】
測定レポートが、セルの基準信号受信電力が、タイマに関連付けられた品質閾値を超えていることを示すことに基づいて、方法が、ユーザ機器からのさらなる測定なしに、少なくとも１つの測定されるセルとの通信を構成するようユーザ機器にシグナリングすることを備え、
シグナリングすることが、タイマの開始値０をもたらし、測定レポートが、セルの基準信号受信電力が、タイマに関連付けられた品質閾値を下回っていることを示すことに基づいて、ユーザ機器が、タイマを止め、リセットすることをさせられる、請求項２４に記載の方法。
【請求項２６】
情報が、最良の測定信頼性条件を有するセルの測定レポートに基づく、請求項２５に記載の方法。
【請求項２７】
測定信頼性条件が、ユーザ機器に関してネットワークによって事前構成された品質条件に基づく、請求項２５に記載の方法。
【請求項２８】
品質条件が、専用のシグナリングまたはブロードキャストシグナリングのうちの１つを介してネットワークによってユーザ機器に関して事前構成される、請求項２７に記載の方法。
【請求項２９】
情報が、セルの最後の測定以来の測定信頼性条件の持続時間のインディケーションを備える、請求項２７に記載の方法。
【請求項３０】
少なくとも、セルの最後の測定以来の測定信頼性条件の持続時間が、ユーザ機器からのさらなる測定なしに、セカンダリセルとのユーザ機器のための接続セットアップを構成すべきことを判定するようにネットワークによって使用されるためのものである、請求項２９に記載の方法。
【請求項３１】
少なくとも１つのプロセッサと、
コンピュータプログラムコードを含む少なくとも１つのメモリとを備える、装置であって、
少なくとも１つのメモリ、およびコンピュータプログラムコードが、少なくとも１つのプロセッサとともに、装置に、少なくとも、
アイドル状態または非アクティブ状態から目を覚まし、サービングセル通信にアクセスしようと努めているユーザ機器からの測定レポートを備える情報を、ネットワーク機器により受信させ、測定レポートが、ユーザ機器がアイドル状態または非アクティブ状態にある間、ユーザ機器に対して通信品質閾値を満足させたセルの識別を備えており、
ユーザ機器からネットワーク機器によって受信された測定レポートを所定の閾値と比較させ、比較することに基づいて、ネットワーク機器が、ユーザ機器からのさらなる測定なしに、セルとの通信を構成させられ、
ユーザ機器からのさらなる測定なしに、ユーザ機器がセルとの通信を構成するようにする命令を有する信号を、ネットワーク機器からユーザ機器に送信させる
ように構成される、装置。
【請求項３２】
セルが、セカンダリセルを備え、通信品質閾値が、測定信頼性条件に基づく、請求項３１に記載の装置。
【請求項３３】
測定レポートが、セルの基準信号受信電力が、タイマに関連付けられた品質閾値を超えていることを示すことに基づいて、方法が、ユーザ機器からのさらなる測定なしに、少なくとも１つの測定されるセルとの通信を構成するようユーザ機器にシグナリングすることを備え、
シグナリングすることが、タイマの開始値０をもたらし、測定レポートが、セルの基準信号受信電力が、タイマに関連付けられた品質閾値を下回っていることを示すことに基づいて、ユーザ機器が、タイマを止め、リセットさせられる、請求項３２に記載の装置。
【請求項３４】
情報が、最良の測定信頼性条件を有するセルの測定レポートに基づく、請求項３３に記載の装置。
【請求項３５】
測定信頼性条件が、ユーザ機器に関してネットワークによって事前構成された品質条件に基づく、請求項３３に記載の装置。
【請求項３６】
品質条件が、専用のシグナリングまたはブロードキャストシグナリングのうちの１つを介してネットワークによってユーザ機器に関して事前構成される、請求項３５に記載の装置。
【請求項３７】
情報が、セルの最後の測定以来の測定信頼性条件の持続時間のインディケーションを備える、請求項３５に記載の装置。
【請求項３８】
少なくとも、セルの最後の測定以来の測定信頼性条件の持続時間が、ユーザ機器からのさらなる測定なしに、セカンダリセルとのユーザ機器のための接続セットアップを構成すべきことを判定するようにネットワークによって使用されるためのものである、請求項３７に記載の装置。
【請求項３９】
請求項１２から２２のいずれか一項に記載の装置と、
請求項３１から３８のいずれか一項に記載の装置と
を備える、通信システム。
【請求項４０】
請求項１から１１、または請求項２３から３０のいずれか一項に記載の方法を実行するためのプログラムコードを備えるコンピュータプログラム。
【請求項４１】
コンピュータプログラムが、コンピュータで使用されるように実現されたコンピュータプログラムコードを担持する非一時的コンピュータ可読媒体を備えるコンピュータプログラム製品である、請求項４０に記載のコンピュータプログラム。
【発明の詳細な説明】
【技術分野】
【０００１】
例示的で、非限定的な実施形態は、一般的に、通信に関し、より詳細には、ユーザ機器（ＵＥ）によるネットワークへのアクセスに関する。
【０００２】
本発明の実施形態は、一般に、ユニバーサルモバイルテレコミュニケーションズシステム（ＵＭＴＳ）地上無線アクセスネットワーク（ＵＴＲＡＮ）、ロングタームエボリューション（ＬＴＥ）進化型ＵＴＲＡＮ（Ｅ−ＵＴＲＡＮ）、ＬＴＥアドバンスト（ＬＴＥ−Ａ）、ＬＴＥ−Ａ  Ｐｒｏ、ならびに／あるいは５Ｇ無線アクセス技術、および／または新無線（ｎｅｗ  ｒａｄｉｏ）（ＮＲ）アクセス技術などの、ただし、以上には限定されない無線通信ネットワークまたはセルラ通信ネットワークに関する。いくつかの実施形態は、一般に、ＬＴＥ／ＮＲに関することが可能であり、より具体的には、例えば、アイドル状態または非アクティブ状態から接続された状態への高速セルアクセス（例えば、スモールセルなどの）を可能にすることに関する。
【背景技術】
【０００３】
本明細書および／または図面に見られることが可能な以下の略語は、以下のとおり定義される：
ＣＡ  キャリアアグリゲーション
ＣＦ  搬送周波数
ＣＲＳ  セル特有の基準信号
ＣＳＩ−ＲＳ  チャネル状態情報基準信号
ＤＣ  デュアルコネクティビティ
ｅＮＢ  Ｅ−ＵＴＲＡＮノードＢ
ｅｕＣＡ  キャリアアグリゲーションの強化された利用
Ｅ−ＵＴＲＡ  進化型ユニバーサルモバイルテレコミュニケーションズシステム（ＵＭＴＳ）地上無線アクセス
Ｅ−ＵＴＲＡＮ  進化型ＵＴＲＡＮ
ＦＤＤ  周波数分割複信
ＨｅｔＮｅｔ  異種ネットワーク
ＭＤＴ  ドライブテストの最小化
ＭＯ  モバイル発信
ＭＴ  モバイル着信
ＮＷ  ネットワーク
ＰＣｅｌｌ  プライマリセル（ｐｒｉｍａｒｙ  ｃｅｌｌ）
ＱｏＳ  サービス品質
ＲＡＴ  無線アクセス技術
Ｒｅｌ．  リリース
ＲＲＣ  無線リソース制御
ＲＳＲＰ  基準信号受信電力
ＲＳＲＱ  基準信号受信品質
ＲＳ−ＳＩＮＲ  基準信号−信号対雑音比
ＳＣｅｌｌ  セカンダリセル（ｓｅｃｏｎｄａｒｙ  ｃｅｌｌ）
ＴＤＤ  時間分割複信
ＵＥ  ユーザ機器
ＷＬＡＮ  無線ローカルエリアネットワーク
ＷＩＤ  ワークアイテム記述
ＷｉＦｉ  ＩＥＥＥ８０２．１１標準に基づくデバイスを用いた無線ローカルエリアネットワーキング
【先行技術文献】
【非特許文献】
【０００４】
【非特許文献１】ＲＰ−１６１０３６
【非特許文献２】ＲＰ−１６１０３５
【非特許文献３】ＲＰ−１６１７３０
【非特許文献４】ＲＰ−１６１７３４
【非特許文献５】ＲＰ−１７０８０５
【発明の概要】
【課題を解決するための手段】
【０００５】
本発明の例示的な態様において：ユーザ機器がアイドル状態または非アクティブ状態にある間、通信ノードの少なくとも１つの測定されるセルに対する通信品質を、ユーザ機器により測定することと；ユーザ機器が接続された状態に遷移すると、少なくとも１つの測定されるセルに対する通信品質が閾値より大きいとユーザ機器により判定することと；ユーザ機器からのさらなる測定なしに、少なくとも１つの測定されるセルとの通信を構成するようユーザ機器にシグナリングすべく、少なくとも１つの測定されるセルがネットワーク機器に関する閾値を満足させるという測定レポートを備える情報をユーザ機器からネットワーク機器に伝送することとを備える、方法が存在する。
【０００６】
さらなる例示的な実施形態が、前段の方法を備える方法であって、測定レポートが、少なくとも１つの測定されるセルが閾値を満足させていた持続時間を備え；少なくとも１つの測定されるセルが、セカンダリセルを備え、通信品質が、測定信頼性条件に基づき；情報が、少なくとも１つの測定されるセルのうちの、最良の測定信頼性条件を有するセルの測定レポートに基づき；測定信頼性条件が、ユーザ機器に関してネットワークによって事前構成された品質条件に基づいて判定され；品質条件が、専用のシグナリングまたはブロードキャストシグナリングのうちの１つを介してネットワークによってユーザ機器に関して事前構成され；持続時間が、セルの最後の測定以来の持続時間を備える測定レポートの信頼性条件と関係し；持続時間が、セルが、構成された品質条件を満足させていなかった最後の測定以来であり；ユーザ機器が接続された状態に遷移すると、少なくとも１つの測定されるセルに対する通信品質が閾値を満足させていた持続時間を記録するタイマを、ユーザ機器により開始することが行われ；タイマが、ユーザ機器に関してネットワークによって構成され；タイマが、ユーザ機器がアイドル状態を離れること、または非アクティブ状態を離れることのうちの１つに基づいて、およびユーザ機器が時間の長さの間に測定を獲得しないことに基づいて止められる、方法である。
【０００７】
プログラムコードを記憶する非一時的コンピュータ可読媒体であって、プログラムコードは、少なくとも、上の段で説明される方法を行うべく少なくとも１つのプロセッサによって実行される、非一時的コンピュータ可読媒体。
【０００８】
本発明のさらに別の例示的な態様において、ユーザ機器がアイドル状態または非アクティブ状態にある間、通信ノードの少なくとも１つの測定されるセルに対する通信品質を、ユーザ機器により測定するための手段と、ユーザ機器が接続された状態に遷移すると、少なくとも１つの測定されるセルに対する通信品質が閾値より大きいとユーザ機器により判定するための手段と；ユーザ機器からのさらなる測定なしに、少なくとも１つの測定されるセルとの通信を構成するようユーザ機器にシグナリングすべく、少なくとも１つの測定されるセルがネットワーク機器に関する閾値を満足させるという測定レポートを備える情報を、ユーザ機器からネットワーク機器に伝送するための手段とを備える、ユーザ機器またはモバイル機器装置などの装置が存在する。
【０００９】
さらなる例示的な実施形態が、前段の装置を備える装置であって、測定レポートが、少なくとも１つの測定されるセルが閾値を満足させていた持続時間を備え；少なくとも１つの測定されるセルが、セカンダリセルを備え；通信品質が、測定信頼性条件に基づき；情報が、少なくとも１つの測定されるセルのうちの、最良の測定信頼性条件を有するセルの測定レポートに基づき；測定信頼性条件が、ユーザ機器に関してネットワークによって事前構成された品質条件に基づいて判定され；品質条件が、専用のシグナリングまたはブロードキャストシグナリングのうちの１つを介してネットワークによってユーザ機器に関して事前構成され；持続時間が、セルの最後の測定以来の持続時間を備える測定レポートの信頼性条件と関係し；持続時間が、セルが、構成された品質条件を満足させていなかった最後の測定以来であり；ユーザ機器が接続された状態に遷移すると、少なくとも１つの測定されるセルに対する通信品質が閾値を満足させていた持続時間を記録するタイマを、ユーザ機器により開始するための手段が存在し；タイマが、ユーザ機器に関してネットワークによって構成され；タイマが、ユーザ機器がアイドル状態を離れること、または非アクティブ状態を離れることのうちの１つに基づいて、およびユーザ機器が時間の長さの間に測定を獲得しないことに基づいて止められる、装置である。
【００１０】
本発明の別の例示的な態様において：ユーザ機器がアイドル状態または非アクティブ状態にある間、通信ノードの少なくとも１つの測定されるセルに対する通信品質を、ユーザ機器により測定するための手段と；ユーザ機器が接続された状態に遷移すると、少なくとも１つの測定されるセルに対する通信品質が閾値より大きいとユーザ機器により判定するための手段と；ユーザ機器からのさらなる測定なしに、少なくとも１つの測定されるセルとの通信を構成するようユーザ機器にシグナリングすべく、少なくとも１つの測定されるセルがネットワーク機器に関する閾値を満足させるという測定レポートを備える情報をユーザ機器からネットワーク機器に伝送するための手段とを備える、装置が存在する。
【００１１】
上の段で説明される例示的な実施形態によれば、少なくとも、測定するための手段、判定するための手段、および伝送するための手段が、ネットワークインターフェースと、コンピュータ可読媒体上に記憶され、少なくとも１つのプロセッサによって実行されるコンピュータプログラムコードとを備える。
【００１２】
さらなる例示的な実施形態が、前段の装置を備える装置であって、測定レポートが、少なくとも１つの測定されるセルが閾値を満足させていた持続時間を備え；少なくとも１つの測定されるセルが、セカンダリセルを備え、通信品質が、測定信頼性条件に基づき；情報が、少なくとも１つの測定されるセルのうちの、最良の測定信頼性条件を有するセルの測定レポートに基づき；、測定信頼性条件が、ユーザ機器に関してネットワークによって事前構成された品質条件に基づいて判定され；品質条件が、専用のシグナリングまたはブロードキャストシグナリングのうちの１つを介してネットワークによってユーザ機器に関して事前構成され；持続時間が、セルの最後の測定以来の持続時間を備える測定レポートの信頼性条件と関係し；持続時間が、セルが、構成された品質条件を満足させていなかった最後の測定以来であり；ユーザ機器が接続された状態に遷移すると、ユーザ機器により、少なくとも１つの測定されるセルに対する通信品質が閾値を満足させていた持続時間を記録するタイマを開始することが行われ；タイマが、ユーザ機器に関してネットワークによって構成され；タイマが、ユーザ機器がアイドル状態を離れること、または非アクティブ状態を離れることのうちの１つに基づいて、およびユーザ機器が時間の長さの間に測定を獲得しないことに基づいて止められる、装置である。
【００１３】
本発明の別の例示的な実施形態において：アイドル状態または非アクティブ状態から目を覚まし、サービングセル通信にアクセスしようと努めているユーザ機器からの測定レポートを備える情報を、ネットワーク機器により受信することであって、測定レポートが、ユーザ機器がアイドル状態または非アクティブ状態にある間、ユーザ機器に対して通信品質閾値を満足させたセルの識別を備える、ことと；ユーザ機器からネットワーク機器によって受信された測定レポートを所定の閾値と比較することであって、比較することに基づいて、ネットワーク機器が、ユーザ機器からのさらなる測定なしに、セルとの通信を構成させられ、比較することに基づいて、ネットワーク機器が、ユーザ機器からのさらなる測定なしに、セルとの通信を構成させられる、ことと；ユーザ機器からのさらなる測定なしに、ユーザ機器がセルとの通信を構成するようにする命令を有する信号を、ネットワーク機器からユーザ機器に送信することを備える、方法が存在する。
【００１４】
さらなる例示的な実施形態が、前段の方法を備える方法であって、セルが、セカンダリセルを備え、通信品質閾値が、測定信頼性条件に基づき；測定レポートが、セルの基準信号受信電力が、タイマに関連付けられた品質閾値を超えていることを示すことに基づいて、方法が、ユーザ機器からのさらなる測定なしに、少なくとも１つの測定されるセルとの通信を構成するようユーザ機器にシグナリングすることを備え、シグナリングすることが、タイマの開始値０をもたらし、測定レポートが、セルの基準信号受信電力が、タイマに関連付けられた品質閾値を下回っていることを示すことに基づいて、ユーザ機器が、タイマを止め、リセットさせられ；情報が、最良の測定信頼性条件を有するセルの測定レポートに基づき；測定信頼性条件が、ユーザ機器に関してネットワークによって事前構成された品質条件に基づき；品質条件が、専用のシグナリングまたはブロードキャストシグナリングのうちの１つを介してネットワークによってユーザ機器に関して事前構成され；情報が、セルの最後の測定以来の測定信頼性条件の持続時間のインディケーションを備え；少なくとも、セルの最後の測定以来の測定信頼性条件の持続時間が、ユーザ機器からのさらなる測定なしに、セカンダリセルとのユーザ機器のための接続セットアップを構成すべきことを判定するようにネットワークによって使用されるためのものである、方法である。
【００１５】
プログラムコードを記憶する非一時的コンピュータ可読媒体であって、プログラムコードは、少なくとも、上の段で説明される方法を行うべく少なくとも１つのプロセッサによって実行される、コンピュータ可読媒体。
【００１６】
本発明の例示的な態様において、ネットワーク側装置または基地局装置などの装置であって：少なくとも１つのプロセッサと；コンピュータプログラムコードを含む少なくとも１つのメモリとを備え、少なくとも１つのメモリ、およびコンピュータプログラムコードが、少なくとも１つのプロセッサとともに、装置に、少なくとも：アイドル状態または非アクティブ状態から目を覚まし、サービングセル通信にアクセスしようと努めているユーザ機器からの測定レポートを備える情報を、ネットワーク機器により受信させ、測定レポートが、ユーザ機器がアイドル状態または非アクティブ状態にある間、ユーザ機器に対して通信品質閾値を満足させたセルの識別を備えており；ユーザ機器からネットワーク機器によって受信された測定レポートを所定の閾値と比較させ、比較することに基づいて、ネットワーク機器が、ユーザ機器からのさらなる測定なしに、セルとの通信を構成させられ、比較することに基づいて、ネットワーク機器が、ユーザ機器からのさらなる測定なしに、セルとの通信を構成させられ；ユーザ機器からのさらなる測定なしに、ユーザ機器がセルとの通信を構成するようにする命令を有する信号を、ネットワーク機器からユーザ機器に送信させるように構成される、装置が存在する。
【００１７】
さらなる例示的な実施形態が、前段の装置を備える装置であって、セルが、セカンダリセルを備え、通信品質閾値が、測定信頼性条件に基づき；測定レポートが、セルの基準信号受信電力が、タイマに関連付けられた品質閾値を超えていることを示すことに基づいて、方法が、ユーザ機器からのさらなる測定なしに、少なくとも１つの測定されるセルとの通信を構成するようユーザ機器にシグナリングすることを備え、シグナリングすることが、タイマの開始値０をもたらし、測定レポートが、セルの基準信号受信電力が、タイマに関連付けられた品質閾値を下回っていることを示すことに基づいて、ユーザ機器が、タイマを止め、リセットさせ；情報が、最良の測定信頼性条件を有するセルの測定レポートに基づき；測定信頼性条件が、ユーザ機器に関してネットワークによって事前構成された品質条件に基づき；品質条件が、専用のシグナリングまたはブロードキャストシグナリングのうちの１つを介してネットワークによってユーザ機器に関して事前構成され；情報が、セルの最後の測定以来の測定信頼性条件の持続時間のインディケーションを備え；少なくとも、セルの最後の測定以来の測定信頼性条件の持続時間が、ユーザ機器からのさらなる測定なしに、セカンダリセルとのユーザ機器のための接続セットアップを構成すべきことを判定するようにネットワークよって使用されるためのものである、装置である。
【００１８】
本発明の別の例示的な態様において：アイドル状態または非アクティブ状態から目を覚まし、サービングセル通信にアクセスしようと努めているユーザ機器からの測定レポートを備える情報を、ネットワーク機器により受信するための手段であって、測定レポートが、ユーザ機器がアイドル状態または非アクティブ状態にある間、ユーザ機器に対して通信品質閾値を満足させたセルの識別を備える、手段と；ユーザ機器からネットワーク機器によって受信された測定レポートを所定の閾値と比較するための手段であって、比較することに基づいて、ネットワーク機器が、ユーザ機器からのさらなる測定なしに、セルとの通信を構成させられ、比較することに基づいて、ネットワーク機器が、ユーザ機器からのさらなる測定なしに、セルとの通信を構成させられる、手段と；ユーザ機器からのさらなる測定なしに、ユーザ機器がセルとの通信を構成するようにする命令を有する信号を、ネットワーク機器からユーザ機器に送信するための手段とを備える、装置が存在する。
【００１９】
上の段で説明される例示的な実施形態によれば、少なくとも、受信するための手段、比較するための手段、および送信するための手段が、ネットワークインターフェースと、コンピュータ可読媒体上に記憶され、少なくとも１つのプロセッサによって実行されるコンピュータプログラムコードとを備える。
【００２０】
さらなる例示的な実施形態が、前段の装置を備える装置であって、セルが、セカンダリセルを備え、通信品質閾値が、測定信頼性条件に基づき；測定レポートが、セルの基準信号受信電力が、タイマに関連付けられた品質閾値を超えていることを示すことに基づいて、方法が、ユーザ機器からのさらなる測定なしに、少なくとも１つの測定されるセルとの通信を構成するようユーザ機器にシグナリングすることを備え、シグナリングすることが、タイマの開始値０をもたらし、測定レポートが、セルの基準信号受信電力が、タイマに関連付けられた品質閾値を下回っていることを示すことに基づいて、ユーザ機器が、タイマを止め、リセットさせられ；情報が、最良の測定信頼性条件を有するセルの測定レポートに基づき；測定信頼性条件が、ユーザ機器に関してネットワークによって事前構成された品質条件に基づき；品質条件が、専用のシグナリングまたはブロードキャストシグナリングのうちの１つを介してネットワークによってユーザ機器に関して事前構成され；情報が、セルの最後の測定以来の測定信頼性条件の持続時間のインディケーションを備え；少なくとも、セルの最後の測定以来の測定信頼性条件の持続時間が、ユーザ機器からのさらなる測定なしに、セカンダリセルとのユーザ機器のための接続セットアップを構成すべきことを判定するようにネットワークよって使用されるためのものである、装置である。
【００２１】
本発明の以上、およびその他の態様は、添付の図面と併せて読まれるとき、以下の詳細な説明においてより明らかにされる。
【図面の簡単な説明】
【００２２】
【図１】Ｅ−ＵＴＲＡＮシステムの全体的なアーキテクチャの例を示す。
【図２】ユーザ機器（ＵＥ）および重なり合うセルの例を例解する図である。
【図３】本発明のいくつかの実施形態による動作を行うように構成されてよいデバイスの簡略化されたブロック図を示す。
【図４】ＵＥの余計な電力消費を周波数間測定周期性に応じて示す。
【図５】本発明の例示的な実施形態によるＡＳＮ．１の例を示す。
【図６】本発明の例示的な実施形態によるＡＳＮ．１の例を示す。
【図７】本発明の例示的な実施形態によるＡＳＮ．１の例を示す。
【図８】本発明の例示的な実施形態による動作の例解を示す。
【図９】本発明の例示的な実施形態による動作の例解を示す。
【図１０】装置によって行われてよいいくつかの実施形態による方法を示す。
【図１１】装置によって行われてよいいくつかの実施形態による方法を示す。
【発明を実施するための形態】
【００２３】
図１は、Ｅ−ＵＴＲＡＮシステムの全体的なアーキテクチャの例を示す。Ｅ−ＵＴＲＡＮシステムは、ＵＥ（図１には示されない）に向けてＥ−ＵＴＲＡＮユーザプレーン（ＰＤＣＰ／ＲＬＣ／ＭＡＣ／ＰＨＹ）および制御プレーン（ＲＲＣ）プロトコル終端を提供するｅＮＢを含む。ｅＮＢは、Ｘ２インターフェースを用いて互いに相互接続される。また、ｅＮＢは、Ｓ１インターフェースを用いて、ＥＰＣ（強化されたパケットコア）にも接続され、より具体的には、Ｓ１  ＭＭＥインターフェースを用いてＭＭＥ（モビリティ管理エンティティ）に接続され、Ｓ１インターフェースを用いてサービングゲートウェイ（Ｓ−ＧＷ）に接続される。Ｓ１インターフェースは、ＭＭＥ／Ｓ−ＧＷとｅＮＢの間の多対多関係をサポートする。
【００２４】
図２も参照すると、ＵＥ１０が、一つより多いセルに同時に接続されてよい。この例において、ＵＥ１０は、基地局１３（例えば、ｅＮＢなど）によって動作させられる第１のセル１２に接続され、別の基地局１５（例えば、ｅＮＢまたはＷｉＦｉ／ＷＬＡＮアクセスポイントなど）によって動作させられる第２の１４に接続される。２つのセル１２、１４は、それ故、少なくとも部分的に重なり合う。例えば、第１のセルは、免許帯域上で動作してよく、第２のセルは、免許帯域上、または免許不要帯域上で動作してよい。第１のセルは、例えば、ＦＤＤセルまたはＴＤＤセルであってよい。簡単のため、２つだけのセルが、図２に示されるＵＥ１０に関するシナリオにおいて示されている。他の代替の例において、免許帯域上、および／または免許不要帯域上で動作する任意の数のセルが、適切なキャリアアグリゲーション（ＣＡ）および／もしくはデュアルコネクティビティ（ＤＣ）、および／またはＬＴＥと別のＲＡＴ（例えば、ＬＴＥ−ＷＬＡＮアグリゲーション（ＬＷＡ））とのアグリゲーション、ならびに／あるいは他の任意の適切なタイプの無線アクセス技術（ＲＡＴ）アグリゲーションのために協働すべく提供されてよい。１つのタイプの例示的な実施形態において、セル１２、１４は、コロケートされてよい。別のタイプの例示的な実施形態において、２つの基地局１３および１５は、コロケートされること、および／または１つの基地局だけから成ることが可能である。
【００２５】
一般に、ＵＥ１０の様々な実施形態は、セルラ電話、ワイヤレス通信能力を有する携帯情報端末（ＰＤＡ）、ワイヤレス通信能力を有するポータブルコンピュータ、ワイヤレス通信能力を有するデジタルカメラなどの画像キャプチャデバイス、ワイヤレス通信能力を有するゲームデバイス、ワイヤレス通信能力を有する音楽記憶および再生機器、ワイヤレスインターネットアクセスおよびブラウジングを許すインターネット機器、ならびにそのような機能の組合せを組み込むポータブルユニットまたはポータブル端末を含むことが可能であるが、以上には限定されない。
【００２６】
本明細書において説明される特徴は、ＬＴＥアドバンストシステムと関係して使用されてよい。より具体的には、本明細書において説明される特徴は、ＳＣｅｌｌがＵＥとの通信のために免許不要帯域を使用していてよい、免許アシストアクセス（ＬＡＡ）の新たに開発された特徴を含むＬＴＥキャリアアグリゲーション（ＣＡ）動作のために使用されてよい。本明細書において説明される特徴は、ＬＡＡ（免許不要帯域動作）に特に向けられているのではなく、ＣＡおよび／またはＤＣ、および／またはＬＴＥの他のＲＡＴアグリゲーション、ならびに／あるいは他の任意の適切なＲＡＴアグリゲーション動作全般のために使用されてよいことに留意されたい。１つのタイプの例示的な実施形態において、キャリアアグリゲーション原理は、理想的なバックホールに接続された（近接した）、コロケートされたセルおよび／またはコロケートされないセルを用いたＬＴＥ  Ｒｅｌ−１０／１１／１２／１３キャリアアグリゲーションシナリオを想定してよい。セカンダリセルは、補足的ダウンリンク容量だけのために使用されてよく、またはダウンリンク容量とアップリンク容量の両方のために使用されてよい。
【００２７】
図３も参照すると、ワイヤレスシステム２３０において、ワイヤレスネットワーク２３５が、ノードＢ（基地局）、より具体的には、ｅＮＢ１３などのネットワークアクセスノードを介して、ＵＥ１０として参照されてよいモバイル通信デバイスなどの装置とワイヤレスリンク２３２上で通信するように構成される。ネットワーク２３５は、ＭＭＥ／Ｓ−ＧＷ機能を含んでよく、電話ネットワークおよび／またはデータ通信ネットワーク（例えば、インターネット２３８）などのネットワークとの接続を提供するネットワーク制御要素（ＮＣＥ）２４０を含んでよい。
【００２８】
ＵＥ１０は、コンピュータまたはデータプロセッサ（ＤＰ）２１４などのコントローラと、コンピュータ命令のプログラム（ＰＲＯＧ）２１８を記憶するメモリ（ＭＥＭ）２１６として実現されたコンピュータ可読記憶媒体と、１つ以上のアンテナを介したｅＮＢ１３との双方向ワイヤレス通信のための、無線周波数（ＲＦ）トランシーバ２１２などの適切なワイヤレスインターフェースとを含んでよい。
【００２９】
また、ｅＮＢ１３も、コンピュータまたはデータプロセッサ（ＤＰ）２２４などのコントローラと、コンピュータ命令のプログラム（ＰＲＯＧ）２２８を記憶するメモリ（ＭＥＭ）２２６として実現されたコンピュータ可読記憶媒体と、１つ以上のアンテナを介したＵＥ１０との通信のための、ＲＦトランシーバ２２２などの適切なワイヤレスインターフェースとを含んでよい。ｅＮＢ１３は、データ／制御パス２３４を介してＮＣＥ２４０に結合されてよい。パス２３４は、インターフェースとして実装されてよい。また、ｅＮＢ１３は、インターフェースとして実装されてよいデータ／制御パス２３６を介して別のｅＮＢに結合されてもよい。
【００３０】
ＮＣＥ２４０は、コンピュータまたはデータプロセッサ（ＤＰ）２４４などのコントローラと、コンピュータ命令のプログラム（ＰＲＯＧ）２４８を記憶するメモリ（ＭＥＭ）２４６として実現されたコンピュータ可読記憶媒体とを含んでよい。
【００３１】
ＰＲＯＧ２１８、２２８、および２４８のうちの少なくとも１つが、後段でより詳細に説明されるとおり、関連付けられたＤＰによって実行されたとき、デバイスが、本発明の例示的な実施形態により動作することを可能にするプログラム命令を含むものと想定される。すなわち、本発明の様々な例示的な実施形態は、ＵＥ１０のＤＰ２１４によって；ｅＮＢ１３のＤＰ２２４によって；および／またはＮＣＥ２４０のＤＰ２４４によって、またはハードウェアによって、またはソフトウェアとハードウェアの組合せ（およびファームウェア）によって実行可能なコンピュータソフトウェアによって少なくとも部分的に実装されてよい。基地局１５は、基地局１３と同一のタイプの構成要素を有してよい。
【００３２】
本発明による様々な例示的な実施形態を説明する目的で、ＵＥ１０およびｅＮＢ１３は、専用のプロセッサ、例えば、ＲＲＣモジュール２１５、および対応するＲＲＣモジュール２２５を含んでもよい。ＲＲＣモジュール２１５およびＲＲＣモジュール２２５は、本発明による様々な例示的な実施形態により動作するように構築されてよい。
【００３３】
コンピュータ可読ＭＥＭ２１６、２２６、および２４６は、ローカル技術環境に適切な任意のタイプのものであってよく、半導体ベースのメモリデバイス、フラッシュメモリ、磁気メモリデバイスおよび磁気メモリシステム、光メモリデバイスおよび光メモリシステム、固定メモリおよびリムーバブルメモリなどの、任意の適切なデータストレージ技術を使用して実装されてよい。ＤＰ２１４、２２４、および２４４は、ローカル技術環境に適切な任意のタイプのものであってよく、非限定的な例として、汎用コンピュータ、専用コンピュータ、マイクロプロセッサ、デジタルシグナルプロセッサ（ＤＳＰ）、およびマルチコアプロセッサアーキテクチャに基づくプロセッサのうちの１つ以上を含んでよい。ワイヤレスインターフェース（例えば、ＲＦトランシーバ２１２および２２２）は、ローカル技術環境に適切な任意のタイプのものであってよく、個々の送信機、受信機、トランシーバ、またはそのような構成要素の組合せなどの任意の適切な通信技術を使用して実装されてよい。
【００３４】
本明細書において説明される特徴は、測定の信頼性と関係する報告される各セルに関する情報（例えば、スモールセルキャリアなどについて）を包含する測定レポートを、ＵＥによって（例えば、アイドル状態または非アクティブ状態から接続された状態に遷移するときに）送信するのに使用されてよい。このことは、例えば、セルが、ｅＮＢまたは何らかの他のネットワーク要素によって設定された（例えば、専用のシグナリングまたはブロードキャストシグナリングを介して）、構成された品質条件を満たしていたことをＵＥがどれだけの時間、測定したかに関してであってよい。このことは、受信するｅＮＢが、ＵＥによって報告された情報が１つ以上のＳＣｅｌｌをセットアップするために使用されることが可能であるかどうかを、よりよく評価することを可能にしてよい。本明細書において説明される例は、スモールセルを参照するものの、特徴は、スモールセル以外のセルにおいて使用されてよいことを理解されたい。スモールセルに関する説明は、単に例に過ぎない。
【００３５】
本明細書において説明される特徴は、ロングタームエボリューション（ＬＴＥ）および新無線（ＮＲ）に関して使用されてよく、具体的には、ＵＥが、アイドル状態（例えば、サスペンドされた状態を含む）または非アクティブ状態から接続された状態に遷移するときに高速セルアクセスを可能にすることに関して使用されてよい。しかし、本明細書において説明される特徴は、将来、他のタイプのシステムとともに使用されてよいことに留意されたい。例えば、特徴は、５Ｇネットワークにおいて、ＮＲ（新無線）において、および現在、ｇＮＢと呼ばれる、５Ｇネットワークの将来の基地局に関連して使用されてよい。さらに、特徴は、キャリアアグリゲーション（ＣＡ）のセットアップ、デュアルコネクティビティ（ＤＣ）のセットアップ、またはその両方のセットアップを強化することに使用されてよい。また、特徴は、新たな進行中のＬＴＥ  Ｒｅｌ−１５ワークアイテムについて使用されてもよい。ワークアイテム（ＷＩ）に関するさらなる詳細に関して、例えば、ＲＰ−１６１０３６、ＲＰ−１６１０３５、ＲＰ−１６１７３０、ＲＰ−１６１７３４を、ＣＡの強化された利用（ｅｕＣＡ）に関する合意されたワークアイテム記述（ＷＩＤ）に関してＲＰ−１７０８０５を参照されたい。
【００３６】
ＵＥがＣＡモードまたはＤＣモード（ＣＡ／ＤＣ）にあるとき、ＵＥは、別々のキャリア周波数上で２つ以上のセルに同時に接続されることが可能である。例えば、ＵＥは、マクロセル、および他の１つ以上のセル（例えば、スモールセルなどの）に同時に接続されることが可能であり、ここで、マクロセルおよび他のセルは、別々のキャリア周波数の下で動作している。サービングセルに対するＵＥの接続が開放された、またはサスペンドされたとき、ＵＥは、アイドル状態または非アクティブ状態（アイドル／非アクティブ）になりＣＡ／ＤＣモードをドロップするが、これは、ＣＡ／ＤＣモードをドロップすることが、複数のキャリアの監視を停止することによって電力を節約するためである。
【００３７】
図４は、ＳＣｅｌｌに関する周波数間測定に起因してどれだけの余計な電力消費がアイドルにおいて予期されるかを例示する。このことは、基礎として、測定周期性が１つの可能なＬＴＥページングサイクル（１．２８秒）であるものと想定する。ＵＥ電力消費に対する影響が、異なる周波数間ＳＣｅｌｌ測定サイクルに関して、すなわち、ＵＥが、監視される周波数間キャリアから測定サンプルを獲得するために使用する異なる時間量に関して考慮される。ここにおける想定は、ＵＥが、サービングセルと周波数間キャリアの両方を同時に測定することができること、および周波数間キャリアを測定することが電力消費を５０％増加させることである。図４から理解されることが可能であるとおり、ＵＥが測定サンプルをとる頻度が低いほど、電力消費影響は低くなる。ＵＥが測定サイクルごとにサンプルをとる場合、最高の電力消費が生じ、その場合、それは、ＩＤＬＥモード電力消費と比較して、最大５０％である。
【００３８】
１つの例示的な実施形態において、ＵＥによって送信される（アイドル／非アクティブ状態から接続された状態に遷移するときに）測定レポートは、例えば、ＵＥによって測定されるセルがどれだけの時間、ｅＮＢによって暗黙に設定される（例えば、サービスセルＳ測定値を介してであり、これはサービングセルがネイバーセル測定を必要としないのに十分なだけ自らを良好であるとみなすときを示し、これはネイバーセルに関するセル品質定義として使用されることも可能である）、または明示的に設定される（例えば、専用のシグナリングもしくはブロードキャストシグナリングを介して）、構成された品質条件を満たしていたかなどの、（例えば、スモールセルキャリア上の）測定の信頼性と関係する報告される各セルに関する情報を包含する。このことは、ｅＮＢが、ＵＥによって報告される情報がＳＣｅｌｌをセットアップするために使用されることが可能であるかどうかを、よりうまく評価することを可能にする。
【００３９】
別の例示的な実施形態において、ＵＥは、キャリア上の最良のセルに関してだけ信頼性情報を報告する。別の例示的な実施形態において、ＵＥは、最新の測定以来の時間をさらに報告する。別の例示的な実施形態において、ＵＥは、セルが品質条件を満たしていないとき、最新の測定以来の時間をさらに報告する。別の例示的な実施形態において、ＵＥは、十分に長い時間にわたって良好な品質の接続が利用可能であった（ネットワークからの測定構成に基づいて）のでない限り、セルを報告しない。この実施形態は、ネットワークによって決定される構成に依然として基づくものの、決定をＵＥに部分的に移す。ＵＥから受信される信頼性情報に基づいて、ネットワークは、ＵＥによって低い頻度で行われるセルキャリアのベストエフォートの測定がどれだけ信頼でき、安定しているかをよりうまく判定することができる。例えば、セルが、品質条件を、例えば、３０分などの或る時間にわたって満たしていた場合、結果は、最新のサンプルがより古いサンプルである、例えば、１分古いものであることがあるものの、信頼できるとみなされることが可能である。別の例において、最新の測定サンプルが、例えば、わずか１０秒古いものであるが、同一のセルが前に品質条件を満たさなかった場合、ＵＥは、おそらく移動しており、セルサイズが小さい（例えば、スモールセルの場合のように）ことがあるため、そのセルにおけるＣＡまたはＤＣを構成すること／アクティブ化することを試みる前に、さらなる測定が行われてよい。このため、情報は、例えば、既存のモビリティ履歴報告に類似して、ＵＥがどのくらい可動性かをネットワークが推定することを可能にしてもよい。しかし、この場合、ネットワークは、ＵＥが通常キャンプオンしていることがあるマクロセル層ではなく、潜在的なターゲットセルに対する移動に関心があることがある。それ故、マクロセル層に関するモビリティ履歴報告によって伝えられる情報はここでは十分ではなく、なぜならＵＥがセルを再選択していない場合、それは必要な情報を与えないからである。
【００４０】
別の例示的な実施形態において、ＵＥが、例えば、トラフィック終了のために解放されてアイドル状態または非アクティブ状態に入った場合などに、ＵＥは、セル／スモールセルがどれだけの時間にわたって、品質閾値を超えている（例えば、ＲＳＲＰ＞＝ＸｄＢである）かに関して記録することができるタイマを開始してよい。このタイマは、例えば、セルごとに、ネットワークによって構成されてよい。例えば、セルが、エントリ構成された条件（例えば、ＲＳＲＰ＞ＸｄＢ）を満たすとき、タイマが、０（ゼロ）から開始されてよい。その後、タイマは、構成された離脱条件が満たされた（例えば、ＲＳＲＰ＜ＹｄＢなど）場合、停止され、リセットされてよい。例示的な実施形態において、ＵＥが、構成されたタイマ周期Ｔにわたって測定を全く獲得しない場合、タイマは、停止され、リセットされてよい。
【００４１】
一例において、接続が、確立され、または再開されて、ＵＥが、測定情報を送信するとき、ＵＥは、条件（例えば、セル／スモールセルのうちの少なくとも１つが品質閾値を超えている（例えば、ＲＳＲＰ＞＝ＸｄＢ）またはセル／スモールセルが品質閾値を下回っている（例えば、ＲＳＲＰ＜＝ＹｄＢ））を満たす（例えば、タイマが動いている間）セルだけを報告して、それらのセルがどれだけの時間にわたって条件を満たしていたかに関する情報を含めることが可能である。
【００４２】
トラフィックが開始されたとき（ＭＯ／ＭＴ）、ＵＥは、アイドル／非アクティブ状態にある間に行われた測定と、ＵＥが特定のセル（構成された品質基準を満たす）にどれだけの時間、滞在したかについての追加の情報とを有する測定レポートをネットワークに報告してよい。
【００４３】
このことは、ＵＥと非プライマリセルの間の状況がどれだけ安定しているかについての情報／知識；例えば、新たな測定レポートから導き出される、を提供することがある。ＵＥが、ＵＥの測定レポートをｅＮＢまたは他のネットワーク要素に送信するとき、セルが最近、変わっている（例えば、ＵＥが移動しているなど）場合、ベストエフォートの測定は、ＵＥがいくらかの時間にわたって、例えば、数分間、同一のセルにいた場合と比較して、より信頼できない。このことの例が、図９に示される。ｅＮＢは、ＵＥによる、セルのベストエフォートのアイドル状態測定結果をより多く利用してよい。測定されるセルが、より長い時間にわたって品質条件を満たしていた場合、セルがＵＥによって最近になって検出されたに過ぎない状況と比べて、ＵＥのためにセルを直ちに構成することに非常に小さいリスクしか存在しない。
【００４４】
ＬＴＥが、提案される方法を例示するのに使用されたものの、ＬＴＥが、この方法を実施する唯一の様態であるとみなされるべきではない。ＬＴＥは、例として使用されたが、類似した様態で、他の無線技術が例として使用されることも可能である。例えば、そのようなアプローチが適用される、または適用可能であることがある５Ｇ技術または新無線（ＮＲ）技術またはＷＬＡＮ技術、または他の無線技術。
【００４５】
ＲＡＮ＃９９ｂｉｓにおいて、ＩＤＬＥに関するＵＥ測定構成は、以下に示されるとおり、ＳＩＢ５またはＲＲＣＣｏｎｎｅｃｔｉｏｎＲｅｌｅａｓｅにおいて与えられることが可能であることが合意された：
１  いずれのキャリアに関してＵＥがＩＤＬＥ測定を行うことが可能であるかに関するインディケーションは、ＳＩＢ５および専用のＲＲＣシグナリング（有効なタイマを含む）に含められる。ＦＦＳ、タイマの値範囲。
２  ＵＥが、周波数間測定の可用性を、
ＲＲＣＣｏｎｎｅｃｔｉｏｎＳｅｔｕｐＣｏｍｐｌｅｔｅまたは
ＲＲＣＣｏｎｎｅｃｔｉｏｎＲｅｓｕｍｅＣｏｍｐｌｅｔｅにおいて示す。
【００４６】
例えば、ＬＴＥにおいて、ＲＲＣ情報要素（ＩＥ）ＳｙｓｔｅｍＩｎｆｏｒｍａｔｉｏｎＢｌｏｃｋＴｙｐｅ５（ＳＩＢ５）が、周波数間セル再選択のためのネイバーセル関連の情報、すなわち、ネイバーＥ−ＵＴＲＡ周波数についての情報を包含する。この場合において、ＳＩＢ５は、現在のサービング周波数と比べて、より高い／より低い優先度の周波数を再選択するとき等、ＵＥによって使用されるネイバーセルリスト、キャリア周波数、セル再選択優先度、閾値を含む。また、ＳＩＢ５は、ブラックリストに載せられた周波数間ネイバーセルのリストも包含する。
【００４７】
ＳＩＢ５が、ＩＤＬＥモード測定が所望されることを示すために使用されるとき、情報は、すべてのＵＥにブロードキャストされ、したがって、そうする必要のないＵＥによって潜在的に使用される可能性がある。さらに、情報は、多くのオーバーヘッドを回避すべく十分にコンパクトでなければならないが、それでも、ＵＥおよびネットワークが測定から利益を得ることを可能にする十分な情報を提供しなければならない。また、測定に関する（既に合意された）有効性タイマが満了したとき、何が生じるかを含め、測定を受信したときのＵＥアクションが指定されなければならない。したがって、以下の問題が、３ＧＰＰにおいて依然として検討されていない：
ＳＩＢ５構成はいずれのＵＥに適用されるか？
厳密にどのような情報をブロードキャストする必要があるか？
ブロードキャスト情報を受信したとき、ＵＥは何を行うか？
有効性タイマが満了した後、ＵＥ測定に何が生じるか？  
【００４８】
ＵＥに対するＳＩＢの適用可能性：Ｒｅｌ−１５以降の機能をすることができるＵＥだけが、ブロードキャスト情報で何かをする。しかし、ユースケースに依存して、これは、依然として相当な数のＵＥであることになる可能性があり、測定周期の数が非常に大きい場合、ＵＥバッテリ寿命にいくらかの影響を及ぼす可能性がある。したがって、ＩＤＬＥモード測定からの利益を依然として受けながら、ＵＥ測定時間は、良好なＵＥ電力消費を確実にする何らかの手段を介して制限されることが可能である。
【００４９】
ＳＩＢ５に基づいて行われる測定は、多数のＵＥに影響を与えることがあるため、このことを制限する１つの方法は、規則を適用するＵＥを制限することである。他のＳＩＢ関連のアクションに関して、このことは、通常、ランダムに行われるが（例えば、ＡＣＢまたは負荷再分散を用いて）、そのことは、利益を単にランダム化して、おそらくシステムパフォーマンスに役立たない。すべてのＵＥを手続きに従わせることさえ、少なくともその場合ＵＥがＣＡを利用する最良の可能性を得ることが可能であるので、おそらく依然としてより良い利益を提供する。別の可能性は、いくつかのＵＥだけが測定を行うことを確実にすべく（これは、新たな手続きから生じる電力消費問題を軽減するのにも役立つ）、ＣＯＮＮＥＣＴＥＤ状態に既にあるＵＥだけが、情報を利用することが可能であることである。
【００５０】
ＵＥ電力消費を制限する有効な方法は、ＣＯＮＮＥＣＴＥＤ状態から解放されてＩＤＬＥ状態になっているＵＥに、ＳＩＢ５に基づく測定を行わせることのみであってよい。代替として、ＵＥは、ＳＩＢ５ブロードキャストに基づく（はるかに）より制約された測定を行っていることが可能である。例えば、ＳＩＢ５ブロードキャストは、１つのキャリア周波数当たりいくつか（例えば、８）のセルを示すことだけが可能であり、また、測定されるキャリアの最大数が、例えば、３つのキャリアまで（すなわち、ＩＤＬＥモードにおける周波数間キャリアに関する通常のＬＴＥ最大測定能力）などに制限されることも可能である。１つの例示的な実施形態において、ＳＩＢ５においてブロードキャストされることが可能な情報は、１つのキャリア周波数当たり、せいぜい３つの周波数間、およびせいぜい８つのセルに制限されなければならない。このことに関するＡＳＮ．１の例が、図５に示される。
【００５１】
ＳＩＢ５ブロードキャストに基づくＵＥアクションと比較して、ＵＥおよびネットワークに関する状況は、ＲＲＣメッセージ、ＲＲＣＣｏｎｎｅｃｔｉｏｎＲｅｌｅａｓｅを使用してＵＥに情報を伝えるとき、わずかに異なる。ＵＥ能力は、ｅＮＢによってメッセージを送信する時点で知られ、ｅＮＢは、ＵＥとのアクティブなシグナリング接続を有し、それ故、今まで通常ブロードキャストされていたよりも、はるかに多くの情報を提供することができる。それ故、ＵＥが、ＩＤＬＥに移される前にＵＥが使用していたＣＡ構成全体を保持することが、そのように所望される場合、可能でさえある。ＭＤＴによりログされる測定の場合と同様に、情報は、接続解放に先立ってＵＥに与えられることも可能である。
【００５２】
ＳＩＢ５ブロードキャストと比較して、ＲＲＣＣｏｎｎｅｃｔｉｏｎＲｅｌｅａｓｅに先立ってＵＥに与えられる情報に対しては、はるかに少ない制限しか存在しない。このことは、ＲＡＮ２＃９９ｂｉｓ合意においてカバーされることがやはり合意された、ＲＲＣ接続のサスペンドと幾分、類似している。ＵＥは、アクセス層（ＡＳ）コンテキストおよびＲＲＣ構成のほとんどを既に記憶しているので、そのことが、この場合にも拡張されることが可能である。ＵＥは、はるかにより詳細な測定構成を提供されることが可能であり、または前のＣＡ構成が、同一のサービングセル内に存在する間に測定のために部分的に、または完全に使用されることさえ可能である。
【００５３】
同一のサービングセル内に存在する間に前のＣＡ構成に基づいて測定を行うことは、ＣＡ動作のための良好な基礎を提供する。ＵＥは、ＳＩＢ５構成とは異なり、いずれのＳＩＢ５構成もオーバーライドするＲＲＣＣｏｎｎｅｃｔｉｏｎＲｅｌｅａｓｅ内の「ＣＡ測定構成」を提供されることが可能である。このことに関するＡＳＮ．１の例が、図６に示される。
【００５４】
いくつかの場合において、ＵＥは、ＣＯＮＮＥＣＴＥＤモード中にＵＥが実行するのと同一の測定を、ＩＤＬＥモード中に行わない、または行うことができない。例えば、ネイバーセル基準信号、例えば、ＣＳＩ−ＲＳに基づく測定は、それらの測定が、サービングセル時間基準（サービングセルから来ることが可能である）、およびＣＳＩ−ＲＳが伝送されているという知識の両方；それらすべてが動的である可能性がある、を要求するので、妥当であるようには思われないことがある。したがって、最も簡単なのは、ＣＲＳに基づくＲＳＲＰ、ＲＳＲＱ、およびＲＳ−ＳＩＮＲが報告されることをイネーブルにするだけであることがある。それ故、１つの例示的な実施形態において、ＣＲＳベースの測定（ＲＳＲＰ／ＲＳＲＱ／ＲＳ−ＳＩＮＲ）だけが、ＩＤＬＥモード測定に関してサポートされる。また、ネットワークは、例えば、ＲＳＲＰだけなどの、或るメトリックに関心があるだけでよい。したがって、測定量のうちのいずれがＵＥから要求されているかをシグナリングすることが可能であってよい。
【００５５】
１つの例示的な実施形態において、ネットワークは、ＲＳＲＰ、ＲＳＲＱ、およびＲＳ−ＳＩＮＲのうちのいずれの測定量を、ＵＥが、ＩＤＬＥモード測定に関して報告すべきであるかを示してよい。ＵＥ測定サイクルは、頻度が低いということもあるので、測定が経時的にどれだけ変化するかを理解することが良いこともある。それで、また、このことは、ＵＥが、例えば、静止状態である、もしくは準静止状態であるか、または移動しているか；これらはＣＡまたはＤＣまたはマルチ接続（ＭＣ）をセットアップするポリシーに影響を与えることがある、をｅＮＢに告げることもある。例えば、静止状態にあるＵＥは、良好なカバレッジにおいてＣＡ／ＤＣ／ＭＣからより良い利得を有することがある。したがって、ＵＥは、測定が所与の限度内であった時間または持続時間を；例えば、ＣＯＮＮＥＣＴＥＤモード測定においてトリガまでの時間が使用されるのと類似した様式で、示すようにも要求されてよい。このため、ＩＤＬＥモード測定を行うとき、ＵＥは、例えば、測定されるセルがどれだけの時間、閾値を超えていたか（例えば、ＲＳＲＰ＞＝ＸｄＢ）を記録する時間を保持してよい。これは、その後、最近の測定が安定していたかどうかを示すべく、セルごとにネットワークに報告されてよい。
【００５６】
１つのタイプの例において、ＵＥは、測定されるセルが閾値を超えていた時間（例えば、ＬＴＥからの測定イベントＡ１、またはＡ１に類似する他の何らかの測定イベントなどに類似する）をログするように要求されることが可能である。さらに、ＵＥは、所与の条件を満たすセルを報告するようにだけ要求されてよい（ｅＮＢが、例えば、ＣＡ／ＤＣ／ＭＣの目的で十分に良好なセルを使用するだけなどの理由で）。例として、このことに関するＡＳＮ．１が、ＩＤＬＥモード測定に対するこれらの制約を示す図７に示される。
【００５７】
図８も参照すると、候補セル品質によってＩＤＬＥモード測定を制約することの例が示される。この例において、ＵＥ１０がアイドル状態にあるとき、ＵＥは構成されたセルを監視および測定してよく、それらはＵＥに対してまだＳＣｅｌｌとして構成されてはいないが、この図においてＳＣｅｌｌとして参照され；この場合において、５０および５２によって示されるとおり、ＳＣｅｌｌ＿１およびＳＣｅｌｌ＿２である。５０において、ＵＥが、周波数ｆ１上で構成されたスモールセルＳＣｅｌｌ＿１を監視し、測定し、その後、条件ＲＳＲＰ（ＳＣｅｌｌ＿１）が閾値（Ｔｈｒ１）より大きい場合、条件が成立する時間を含め、セルを有効なセルとして記憶する。５２において、ＵＥが、周波数ｆ２上で構成されたスモールセルＳＣｅｌｌ＿２を監視し、測定し、その後、条件ＲＳＲＰ（ＳＣｅｌｌ＿２）が閾値（Ｔｈｒ２）より大きい場合、条件が成立する時間を含め、そのセルを有効なセルとして記憶する。この例において、ブロック５４によって示されるとおり、セルＳＣｅｌｌ＿１は、ＳＣｅｌｌ＿１の閾値を満足させるが、セルＳＣｅｌｌ＿２は、ＳＣｅｌｌ＿２の閾値を満足させない。ユーザトラフィック（例えば、モバイル発信（ＭＯ）トラフィック）が開始した後、ｅＮＢ１３とＵＥ１０の間で接続セットアップ５６が存在する。ブロック５８によって示されるとおり、ＵＥ１０が、その後、構成されたスモールセルキャリア上の品質条件／閾値を満足させたセル（ＳＣｅｌｌ＿１）のレポートを作成してよく、その後、６０によって示されるとおり、レポートをｅＮＢに送信してよい。この例における測定レポートは、ＳＣｅｌｌ＿２を含まない。ＵＥは、レポートに、各セルが品質条件を満たしていた持続時間を含めてよい。
【００５８】
６２によって示されるとおり、ｅＮＢ１３などのネットワークが、ＳＣｅｌｌ＿１がＣＡに関する条件を満足させることを判定すべくレポートからの情報を比較してよく、さらなる測定を待つことなしにＳＣｅｌｌ＿１との通信を構成するためにＵＥにシグナリング６４を行ってよい。その後、ＵＥと決定されたセカンダリセル（ＳＣｅｌｌ＿１）の間のトラフィックが、６６によって示されるとおり、開始してよい。
【００５９】
図９を再び参照すると、この例において、ＵＥがアイドル状態にあるとき、ＵＥは、１００および１０２によって示されるとおり、構成されたセル；この場合においてＳＣｅｌｌ＿１およびＳＣｅｌｌ＿２を監視し、測定してよい。ユーザトラフィック（例えば、モバイル発信（ＭＯ）トラフィック）が開始した（１０４）後、ｅＮＢ１３とＵＥ１０の間で接続セットアップ１０６が存在する。ブロック１０８によって示されるとおり、その後、ＵＥ１０が、構成されたセルキャリア（この例においてＣＦ１およびＣＦ２）上で品質条件を満たすセルのレポートを作成してよく、その後、１１０によって示されるとおり、そのレポートをｅＮＢに送信する。ＵＥは、レポートに、各セルが品質条件を満たしていた時間を含めてよい。
【００６０】
１１２によって示されるとおり、ｅＮＢ１３などのネットワークが、レポートからの情報を所定の閾値と比較してよく、さらなる測定を待つことなしにＳＣｅｌｌのうちの所定の１つ以上のＳＣｅｌｌとの通信を構成するためにＵＥにシグナリング１１４を行ってよい。その後、ＵＥと決定されたセカンダリセルの間のトラフィックが、１１６によって示されるとおり、開始してよい。
【００６１】
本明細書において説明される特徴を用いて、制限された追加のＵＥ測定が、例えば、ｅｎＣＡなどのために、接続確立／再開の後のより高速なセルセットアップ（例えば、ＣＡまたはＤＣの意味における）を可能にすべく、ＵＥのアイドル／非アクティブモード中に導入されてよい。本明細書において説明される特徴は、その電力節約状態にある間、ＵＥによって行われる測定の量対電力使用のバランスを提供するように使用されてよい。それ故、本明細書において説明される特徴は、最小量の電力使用でアイドル／非アクティブ状態においてＵＥによって行われる頻度の低いセル（またはセルキャリア）測定を最大限に活用すべく使用されてよい。従来の測定レポートとは異なり、ＵＥの測定レポートのために使用される情報は、ｅＮＢおよびＵＥによって使用される標準の接続測定に関して古くてよい、または陳腐化していてよい。これらの古い測定結果の価値または有用性は、ＵＥが移動しているかどうかに依存することがあり、ＵＥが移動している場合、どれだけ高速にＵＥが移動しているかに依存することがある。
【００６２】
従来、「接続された」状態にあるＵＥは、例えば、より良好なパフォーマンスを獲得すべくスモールセル層にあって（またはデュアル接続されて）よく、アイドル／非アクティブ状態にあるＵＥは、セル再選択に関連付けられた測定およびシグナリングの負担を減らすべくマクロ層にあってよい。従来、ＵＥは、より長い時間の間、頻繁に周波数間測定を継続することはない。本明細書において説明される特徴を用いて、ＵＥからの関係のある情報が、ＭＯ／ＭＴトラフィックが開始されるとき、高速セルアクセスを実現するために新たなタイプの測定レポートとともにプライマリセルに提供されてよい。
【００６３】
図１０における例によって示されるとおり、例示的な方法は、ブロック１３０によって示されるとおり、ユーザ機器がアイドル状態または非アクティブ状態にある間、通信ノードの少なくとも１つの測定されるセルに対する通信品質を、図３におけるＵＥ１０などのユーザ機器により測定することと；ブロック１３２によって示されるとおり、ユーザ機器が接続された状態に遷移すると（例えば、ユーザ機器のモバイル発信（ＭＯ）アクティビティに起因して）、セルに対する通信品質が閾値を満足させるとユーザ機器により、判定することと；ブロック１３４によって示されるとおり、ユーザ機器からのさらなる測定なしに、セルとの通信を構成するようユーザ機器にシグナリングすべく、セルがネットワーク機器に関する閾値を満足させるという測定レポートをユーザ機器からネットワーク機器に伝送することとを備えてよい。
【００６４】
上の段で説明される例示的な実施形態によれば、ユーザ機器は、セルが閾値を満足させていた持続時間を有する測定レポートを構成してよい。
【００６５】
上の段で説明される例示的な実施形態によれば、少なくとも１つの測定されるセルが、セカンダリセルを備え、通信品質が、測定信頼性条件に基づく。
【００６６】
上の段で説明される例示的な実施形態によれば、情報が、少なくとも１つの測定されるセルのうちの、最良の測定信頼性条件を有するセルの測定レポートに基づく。
【００６７】
上の段で説明される例示的な実施形態によれば、測定信頼性条件が、ユーザ機器に関してネットワークによって事前構成された品質条件に基づいて判定される。
【００６８】
上の段で説明される例示的な実施形態によれば、品質条件が、専用のシグナリングまたはブロードキャストシグナリングのうちの１つを介してネットワークによってユーザ機器に関して事前構成される。
【００６９】
上の段で説明される例示的な実施形態によれば、持続時間が、セルの最後の測定以来の持続時間を備える測定レポートの信頼性条件と関係する。
【００７０】
上の段で説明される例示的な実施形態によれば、持続時間が、セルが、構成された品質条件を満たしていなかった最後の測定以来である。
【００７１】
上の段で説明される例示的な実施形態によれば、ユーザ機器が接続された状態に遷移すると、ユーザ機器により、少なくとも１つの測定されるセルに対する通信品質が閾値を満足させていた持続時間を記録するタイマを開始することが行われる。
【００７２】
上の段で説明される例示的な実施形態によれば、タイマが、ユーザ機器に関してネットワークによって構成される。
【００７３】
上の段で説明される例示的な実施形態によれば、タイマが、ユーザ機器がアイドル状態を離れること、または非アクティブ状態を離れることのうちのいずれかに基づいて、およびユーザ機器が時間の長さの間に測定を獲得しないことに基づいて止められる。
【００７４】
プログラムコード（図３におけるＰＲＯＧ２１８）を記憶する非一時的コンピュータ可読媒体（図３におけるＭＥＭ２１６）であって、プログラムコードは、少なくとも上の段で説明される動作を行うべく少なくとも１つのプロセッサ（図３におけるＤＰ２１４および／またはＲＲＣモジュール２１５）によって実行される、非一時的コンピュータ可読媒体。
【００７５】
上の段で説明される本発明の例示的な実施形態によれば：ユーザ機器（図３におけるＵＥ１０）がアイドル状態または非アクティブ状態にある間、通信ノード（図３におけるｅＮＢ１３）の少なくとも１つの測定されるセルに対する通信品質を、ユーザ機器（図３におけるＵＥ１０）により測定するための手段（図３におけるＭＥＭ２１６、ＰＲＯＧ２１８、ＤＰ２１４、および／またはＲＲＣモジュール２１５）と；ユーザ機器（図３におけるＵＥ１０）上で、接続された状態に遷移し（図３における無線周波数（ＲＦ）トランシーバ２１２、ＭＥＭ２１６、ＰＲＯＧ２１８、ＤＰ２１４、および／またはＲＲＣモジュール２１５）、少なくとも１つの測定されるセルに対する通信品質が閾値より大きいとユーザ機器（図３におけるＵＥ１０）により判定するための手段（図３における無線周波数（ＲＦ）トランシーバ２１２、ＭＥＭ２１６、ＰＲＯＧ２１８、ＤＰ２１４、および／またはＲＲＣモジュール２１５）と；ユーザ機器（図３におけるＵＥ１０）からのさらなる測定なしに、少なくとも１つの測定されるセルとの通信を構成するよう（図３における無線周波数（ＲＦ）トランシーバ２１２、ＭＥＭ２１６、ＰＲＯＧ２１８、ＤＰ２１４、および／またはＲＲＣモジュール２１５）ユーザ機器（図３におけるＵＥ１０）にシグナリングすべく、少なくとも１つの測定されるセルがネットワーク機器に関する閾値を満足させるという測定レポートを備える情報を、ユーザ機器（図３におけるＵＥ１０）からネットワーク機器（図３におけるｅＮＢ１３）に伝送するための手段（図３における無線周波数（ＲＦ）トランシーバ２１２、ＭＥＭ２１６、ＰＲＯＧ２１８、ＤＰ２１４、および／またはＲＲＣモジュール２１５）とを備える装置が存在する。
【００７６】
上の段による発明の例示的な態様において、少なくとも、測定するための手段、遷移するための手段、および伝送するための手段が、少なくとも１つのプロセッサ［図３におけるＤＰ２１４および／またはＲＲＣモジュール２１５］によって実行可能なコンピュータプログラム［図３におけるＰＲＯＧ２１８］が符号化された非一時的コンピュータ可読媒体［図３におけるＭＥＭ２１６］を備える。
【００７７】
例示的な実施形態によれば、ユーザ機器にロードされたとき、上で説明される方法を実行するプログラム命令を備える、例えば、図３に示されるメモリ２１５などの例示的なコンピュータプログラム製品が提供される。
【００７８】
例示的な実施形態によれば、少なくとも１つのプロセッサと；コンピュータプログラムコードを含む少なくとも１つの非一時的メモリとを備える装置であって、少なくとも１つのメモリ、およびコンピュータプログラムコードが、少なくとも１つのプロセッサとともに、装置に：装置がアイドル状態または非アクティブ状態にある間、通信ノードの少なくとも１つの測定されるセルに対する通信品質を、装置により測定させ、装置がユーザ機器を備えており；ユーザ機器が接続されたモードに遷移すると（例えば、ユーザ機器のモバイル発信（ＭＯ）アクティビティに起因して）、セルに対する通信品質が閾値を満足させるとユーザ機器により判定させ；ユーザ機器からのさらなる測定なしに、セルとの通信を構成するようユーザ機器にシグナリングすべく、セルがネットワーク機器に関する閾値を満足させるという測定レポートを、ユーザ機器からネットワーク機器に伝送させるように構成される装置が提供される。
【００７９】
少なくとも１つのメモリ、およびコンピュータプログラムコードが、少なくとも１つのプロセッサとともに、ユーザ機器に、セルが閾値を満足させていた持続時間を有する測定レポートを構成させるように構成されてよい。
【００８０】
図１１の例によって示されるとおり、例示的な方法が、ブロック１３６によって示されるとおり、アイドル状態または非アクティブ状態から目を覚まし、サービングセル通信にアクセスしようと努めているユーザ機器からの測定レポートを、ネットワーク機器（図３におけるｅＮＢ１３などの）により受信することであって、測定レポートが、ユーザ機器がアイドル状態または非アクティブ状態にある間、ユーザ機器に対して通信品質閾値を満足させたセルの識別を備える、ことと；ブロック１３８によって示されるとおり、ユーザ機器からネットワーク機器によって受信された測定レポートを所定の閾値と比較することであって、比較することに基づいて、ネットワーク機器が、ユーザ機器からのさらなる測定なしに、セルとの通信を構成させられる、ことと；ブロック１４０によって示されるとおり、ユーザ機器からのさらなる測定なしに、ユーザ機器がセルとの通信を構成するようにする情報を有する信号を、ネットワーク機器からユーザ機器に送信することを備えてよい。例示的な実施形態によれば、ユーザ機器にロードされたとき、上で説明される方法を実行するプログラム命令を備える、例えば、図３に示されるメモリ２２６などの例示的なコンピュータプログラム製品が提供される。
【００８１】
上の段で説明される例示的な実施形態によれば、セルが、セカンダリセルを備え、通信品質閾値が、測定信頼性条件に基づく。
【００８２】
上の段で説明される例示的な実施形態によれば、測定レポートが、セルの基準信号受信電力がタイマに関連付けられた品質閾値を超えていることを示すことに基づいて、方法が、ユーザ機器からのさらなる測定なしに、少なくとも１つの測定されるセルとの通信を構成するようユーザ機器にシグナリングすることを備え、シグナリングすることが、タイマの開始値０をもたらし、測定レポートが、セルの基準信号受信電力が、タイマに関連付けられた品質閾値を下回っていることを示すことに基づいて、ユーザ機器が、タイマを止め、リセットさせられる。
【００８３】
上の段で説明される例示的な実施形態によれば、情報が、最良の測定信頼性条件を有するセルの測定レポートに基づく。
【００８４】
上の段で説明される例示的な実施形態によれば、測定信頼性条件が、ユーザ機器に関してネットワークによって事前構成された品質条件に基づく。
【００８５】
上の段で説明される例示的な実施形態によれば、品質条件が、専用のシグナリングまたはブロードキャストシグナリングのうちの１つを介してネットワークによってユーザ機器に関して事前構成される。
【００８６】
上の段で説明される例示的な実施形態によれば、情報が、セルの最後の測定以来の測定信頼性条件の持続時間のインディケーションを備える。
【００８７】
上の段で説明される例示的な実施形態によれば、少なくとも、セルの最後の測定以来の測定信頼性条件の持続時間が、ユーザ機器からのさらなる測定なしに、セカンダリセルとのユーザ機器のための接続セットアップを構成すべきことを判定するようにネットワークによって使用されるためのものである。
【００８８】
プログラムコード（図３におけるＰＲＯＧ２２８）を記憶する非一時的コンピュータ可読媒体（図３におけるＭＥＭ２２６）であって、プログラムコードは、少なくとも上の段で説明される動作を行うべく少なくとも１つのプロセッサ（図３におけるＤＰ２２４および／またはＲＲＣモジュール２２５）によって実行される、非一時的コンピュータ可読媒体。
【００８９】
上で説明される本発明の例示的な実施形態によれば：アイドル状態または非アクティブ状態から目を覚まし、サービングセル通信にアクセスしようと努めているユーザ機器（図３におけるＵＥ１０）からの測定レポートを備える情報を、ネットワーク機器（図３におけるｅＮＢ１３）により受信するための手段（図３における無線周波数（ＲＦ）トランシーバ２２２、ＭＥＭ２２６、ＰＲＯＧ２２８、ＤＰ２２４、および／またはＲＲＣモジュール２２５）であって、測定レポートが、ユーザ機器がアイドル状態または非アクティブ状態にある間、ユーザ機器に対して通信品質閾値を満たしたセルの識別を備える、手段と；ユーザ機器（図３におけるＵＥ１０）からネットワーク機器（図３におけるｅＮＢ１３）によって受信された測定レポートを所定の閾値と比較するための手段（図３における無線周波数（ＲＦ）トランシーバ２２２、ＭＥＭ２２６、ＰＲＯＧ２２８、ＤＰ２２４、および／またはＲＲＣモジュール２２５）と；ユーザ機器からのさらなる測定なしに、ユーザ機器がセルとの通信を構成するようにする命令を有する信号を、ネットワーク機器（図３におけるｅＮＢ１３）からユーザ機器（図３におけるＵＥ１０）に送信するための手段（図３における無線周波数（ＲＦ）トランシーバ２２２、ＭＥＭ２２６、ＰＲＯＧ２２８、ＤＰ２２４、および／またはＲＲＣモジュール２２５）とを備える装置が存在する。
【００９０】
上の段による方法の例示的な態様において、少なくとも、受信するための手段、比較するための手段、および送信するための手段が、少なくとも１つのプロセッサ［図３におけるＤＰ２２４および／またはＲＲＣモジュール２２５］によって実行可能なコンピュータプログラム［図３におけるＰＲＯＧ２２８］が符号化された非一時的コンピュータ可読媒体［図３におけるＭＥＭ２２６］を備える。
【００９１】
例示的な実施形態が：少なくとも１つのプロセッサ［図３におけるＤＰ２２４および／またはＲＲＣモジュール２２５］と；コンピュータプログラムコード［図３におけるＰＲＯＧ２２８］を含む少なくとも１つの非一時的メモリ［図３におけるＭＥＭ２２６］とを備える、装置であって、少なくとも１つのメモリ、およびコンピュータプログラムコードが、少なくとも１つのプロセッサとともに、装置に：アイドル状態または非アクティブ状態から目を覚まし、サービングセル通信にアクセスしようと努めているユーザ機器からの測定レポートを、装置により受信させ、装置が、ネットワーク機器を備え、測定レポートが、ユーザ機器がアイドル状態または非アクティブ状態にある間、ユーザ機器に対して通信品質閾値を満足させたセルの識別を備えており；ユーザ機器からネットワーク機器によって受信された測定レポートを所定の閾値と比較させ、比較することに基づいて、ネットワーク機器が、ユーザ機器からのさらなる測定なしに、セルとの通信を構成させられ；ユーザ機器からのさらなる測定なしに、ユーザ機器がそのセルとの通信を構成するようにする情報を有するシグナリングを、ネットワーク機器からユーザ機器に送信させるように構成される装置において提供されてよい。
【００９２】
例示的な装置が、ユーザ機器がアイドル状態または非アクティブ状態にある間、通信ノードの少なくとも１つのセル［例えば、図３におけるｅＮＢ１３］に対する通信品質を、ユーザ機器［例えば、図３におけるＵＥ１０］により測定するための手段と；ユーザ機器が接続された状態に遷移すると（例えば、ユーザ機器のモバイル発信（ＭＯ）アクティビティに起因して）、セルに対する通信品質が閾値を満足させるとユーザ機器により判定するための手段と；ユーザ機器からのさらなる測定なしに、セルとの通信を構成するようユーザ機器にシグナリングすべく、セルがネットワーク機器に関する閾値を満足させるという測定レポートをユーザ機器からネットワーク機器に伝送するための手段とを備えてよい。
【００９３】
例示的な装置が、アイドル状態または非アクティブ状態から目を覚まし、セル通信にアクセスしようと努めているユーザ機器からの測定レポートを、ネットワーク機器により受信するための手段であって、測定レポートが、ユーザ機器がアイドル状態または非アクティブ状態にある間、ユーザ機器に対して通信品質閾値を満足させたセルの識別を備える、手段と；ユーザ機器からネットワーク機器によって受信された測定レポートを所定の閾値と比較するための手段であって、比較することに基づいて、ネットワーク機器が、ユーザ機器からのさらなる測定なしに、セルとの通信を構成させられる、手段と；ユーザ機器からのさらなる測定なしに、ユーザ機器がそのセルとの通信を構成するようにする情報を有する信号を、ネットワーク機器からユーザ機器に送信するための手段とを備えてよい。
【００９４】
以上の説明は、例示的であるに過ぎないことを理解されたい。様々な代替形態および変形形態が、当業者によって考案されることが可能である。例えば、様々な従属クレームに記載される特徴が、任意の適切な組合せで互いに組み合わされることが可能である。さらに、上で説明される異なる実施形態からの特徴が選択的に組み合わされて、新たな実施形態にされることが可能である。したがって、説明は、添付の特許請求の範囲に入るすべてのそのような代替形態、変形形態、および変更形態を包含することを意図されている。
【図１】
2021503800.tif 000003
【図２】
2021503800.tif 000004
【図３】
2021503800.tif 000005
【図４】
2021503800.tif 000006
【図５】
2021503800.tif 000007
【図６】
2021503800.tif 000008
【図７】
2021503800.tif 000009
【図８】
2021503800.tif 000010
【図９】
2021503800.tif 000011
【図１０】
2021503800.tif 000012
【図１１】
2021503800.tif 000013
【国際調査報告】
2021503800.tif 000014
2021503800.tif 000015
2021503800.tif 000016